【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
移植片のために複数の椎骨部材に前処理を施す装置において、
椎骨部材の一部と、前記椎骨部材及び前記椎骨部材の間の円板空間とを覆うことができる大きさに作られた窓を形成している結合リングであって、前記椎骨部材及び前記椎骨部材の中に伸張するように外向きに伸張している複数のスパイクを備えた遠位側を有している結合リングと、
前記結合リングに取り付けられ、前記窓を横断して伸張する大きさに作られた取付部材であって、受け入れ部分と第２部分とを備えており、前記受け入れ部分は前記第２部分とは異なる幅を有している、取付部材と、
前記受け入れ部分に嵌合し、前記椎骨部材と整列するように、所定距離離間して設けられた一対の指部をそれぞれ有している複数の器具と、を備えている装置。
【請求項２】
前記結合リングは、前記窓の互いに反対側の側部に配置され前記円板空間と整列している一対のチャネルを備えた近位側を含んでいる、請求項１に記載の装置。
【請求項３】
前記取付部材は、前記一対のチャネル内に取り付けられる大きさに作られた、一対の外向きに伸張する翼部を含んでいる、請求項２に記載の装置。
【請求項４】
前記窓は、実質的に長方形の形状を有している、請求項１に記載の装置。
【請求項５】
前記複数のスパイクは、それぞれ、前記椎骨部材に取り付けられる際に広がるのを防ぐために、内向きに勾配が付けられている、請求項１に記載の装置。
【請求項６】
前記取付部材内に取り付けられており、前記取付部材が前記結合リングに固定的に取り付けられる第１位置と前記取付部材が前記ロッキングリングから取り外される第２位置との間に選択的に配置可能な付勢部材を有している係止機構を更に備えている、請求項１に記載の装置。
【請求項７】
前記取付部材は、前記窓の中心線に沿って配置されている、請求項１に記載の装置。
【請求項８】
移植片を受け入れるために第１及び第２椎骨部材に前処理を施すためのシステムにおいて、
本体及びスペーサを有する基礎器具であって、前記本体は、前記第１及び第２椎骨部材の一部と、第１及び第２椎骨部材の間の円板空間とを覆うことができる大きさに作られた窓を形成しており、前記スペーサは、前記窓を横断して伸張しており、且つ前記本体の下方に伸張して、前記本体が前記第１及び第２椎骨部材の前面上に配置されたとき、前記第１及び第２椎骨部材の間に配置される、基礎器具と、
それぞれの複数の器具が第１部分及び第２部分を有する複数の器具であって、前記第１部分は、前記第２部分を前記第１及び第２椎骨部材に対して配置するのと共通の整列状態で前記スペーサに取り付けられる大きさに作られている、複数の器具と、を備えているシステム。
【請求項９】
前記第１部分は、前記スペーサを跨ぐように所定距離離間して配置された一対の指部を備えており、前記一対の指部の間の距離は前記スペーサの幅に実質的に等しい、請求項８に記載のシステム。
【請求項１０】
前記スペーサは、前記一対の指部を受け入れ、前記第２部分を前記第１及び第２椎骨部材に対して整列させるために、前記スペーサに沿う中心位置に陥凹部を有している、請求項９に記載のシステム。
【請求項１１】
前記第２部分は、前記第１及び第２椎骨部材の少なくとも一方を切削するための切削面を備えている、請求項８に記載のシステム。
【請求項１２】
前記第２部分は、前記第１椎骨部材と整列する第１縁部と、前記第２椎骨部材と整列する第２縁とを備えている、請求項８に記載のシステム。
【請求項１３】
前記スペーサに軸回転可能に取り付けられたシャフトを更に備えており、前記シャフトは、ピボットの遠位側に位置し且つ前記本体内の開口部に接続される伸張部を有している、請求項８に記載のシステム。
【請求項１４】
前記シャフト内に配置され、前記スペーサを前記本体に係止するための付勢機構を有している係止機構を更に備えている、請求項１３に記載のシステム。
【請求項１５】
前記複数の器具の１つは、所定の高さと幅を備えた本体を有しており、一対の指部が、前記本体の遠位端から外向きに伸張し且つ前記スペーサに嵌る距離だけ間隔を空けて配置されている、鋸案内部材を備えている、請求項８に記載のシステム。
【請求項１６】
前記本体から外向きに且つ前記本体に実質的に垂直に伸張している前記第１及び第２レールガイドを更に備えており、前記第１及び第２レールガイドは、それぞれ、スロットを有する内面を備えている、請求項１５に記載のシステム。
【請求項１７】
切削縁を有する遠位端を有している鋸ブレードを更に備えており、前記鋸ブレードは、前記第１レールガイド内に配置可能な第１縁と前記第２レールガイド内に配置可能な第２縁とを備えた全幅を有している、請求項１６に記載のシステム。
【請求項１８】
前記窓よりも幅が広いフランジと、前記窓よりも幅が狭い第１側から外に伸張する伸張部とを有する平削り案内部材を更に備えており、前記平削り案内部材は、前記フランジを近位縁に着座させ前記伸張部を前記窓の中に配置した状態で前記本体に取り付けることができる、請求項８に記載のシステム。
【請求項１９】
前記スペーサは正常な円板の高さ以下の幅を有している、請求項８に記載のシステム。
【請求項２０】
移植片を受け入れるために第１及び第２椎骨部材に前処理を施すための装置において、
近位縁と遠位縁を有し、前記第１及び第２椎骨部材の一部と、前記第１及び第２椎骨部材の間の円板空間とを覆うことができる大きさに作られた窓を形成している本体と、
前記本体に取り付けられ、前記遠位縁の下方に前記窓の中央部と整列して配置されたスペーサであって、正常な円板の高さ以下の幅を有しているスペーサと、を備えており、
前記遠位縁が前記第１及び第２椎骨部材の表面上に配置され、前記スペーサが伸延されていない前記第１及び第２椎骨部材の間の円板空間内に配置されている、装置。
【請求項２１】
前記スペーサは、前記本体に取り付けられ前記スペーサを前記窓の中央部内に位置決めする、複数の外向きに伸張する翼部を更に備えている、請求項２０に記載の装置。
【請求項２２】
第１及び第２椎骨部材に前処理を施すための装置において、
窓を形成している外壁を有するリングであって、前記第１及び第２椎骨部材の中に取り付けるために外向きに伸張する複数のスパイクを有する第１縁を有し、第２縁には前記窓の互いに反対側の両側部の上に整列している受け入れ部分が設けられているリングと、
前記窓を横断して伸張する大きさに作られている頭部と、前記受け入れ部分の中に取り付けられるように前記頭部の上方に所定距離だけ外向きに伸張している翼部と、を有している試行装置と、を備えており、
前記翼部を前記受け入れ部分に配置して、前記頭部が前記窓の中央部分を横断し且つ前記第１面の下方に整列した状態で、前記試行装置を前記リングに取り付けることができる、装置。
【請求項２３】
前記頭部と前記第１縁は、前記試行装置が前記リング内に取り付けられたときは、実質的に平行である、請求項２２に記載の装置。
【請求項２４】
前記受け入れ部分は、前記第２縁から内向きに伸張しているチャネルと、前記チャネルに整列している溝と、を備えており、前記受け入れ部分は、前記チャネルの幅が前記リングよりも狭くなっている、請求項２２に記載の装置。
【請求項２５】
前記翼部は、前記翼部の近位端に配置された外向きに伸張するタブを更に含んでおり、前記試行装置が前記リング内に取り付けられたとき、前記タブは前記チャネル内に着座し前記翼部は前記溝内に着座できる大きさにそれぞれ作られている、請求項２４に記載の装置。
【請求項２６】
前記頭部に軸回転可能に接続されたシャフトと、前記シャフト内に配置されたばねを備えている係止機構と、を更に備えており、前記係止機構は、前記シャフトの遠位端が前記リングに接続されている係止位置と、前記遠位端が前記リングから離れている係止解除位置との間に配置可能である、請求項２２に記載の装置。